(57)【要約】【課題】発光素子が発する光の回り込みの発生を抑えて、優れた視認性を有するインジケーターを備えたプロジェクターを提供すること。【解決手段】プロジェクター１は、インジケーター４０を有するプロジェクターであって、インジケーター４０は、複数の発光素子４１と、複数の発光素子４１に対向する複数の窓部１１〜１６と、複数の発光素子４１における互いに隣り合う発光素子４１の間に配置された複数の壁部と、を備え、複数の壁部は、発光素子４１から出射された光を窓部１１〜１６に導光する複数の導光壁３５ａと、複数の導光壁３５ａの間に配置された遮光壁３５ｂと、を有する。【選択図】図１０
2019128523.tif 000002
【特許請求の範囲】
【請求項１】
インジケーターを有するプロジェクターであって、
前記インジケーターは、複数の発光素子と、前記複数の発光素子に対向する複数の窓部と、前記複数の発光素子における互いに隣り合う発光素子の間に配置された複数の壁部と、を備え、
前記複数の壁部は、前記発光素子から出射された光を前記窓部に導光する複数の導光壁と、前記複数の導光壁の間に配置された遮光壁と、を有するプロジェクター。
【請求項２】
前記複数の窓部がそれぞれ配置される複数の開口部を有するケース部と、前記複数の窓部を有する第１部材と、前記複数の壁部を有する第２部材と、を有する請求項１に記載のプロジェクター。
【請求項３】
前記第２部材は、前記複数の発光素子から出射された光がそれぞれ通過する複数の光通過孔を有し、前記ケース部とで前記第１部材を挟持する請求項２に記載のプロジェクター。
【請求項４】
前記導光壁は、前記発光素子から出射された光を反射する部材である、請求項１から請求項３のいずれか１項に記載のプロジェクター。
【請求項５】
前記発光素子の両側に配置された前記導光壁を接続する接続部を有し、
前記接続部は、前記発光素子から出射された光を前記窓部に導光する、請求項１から請求項４のいずれか１項に記載のプロジェクター。
【発明の詳細な説明】
【技術分野】
【０００１】
本発明は、プロジェクターに関する。
【背景技術】
【０００２】
従来、動作状態などが表示されるインジケーターを備えたプロジェクターが知られていた。このようなインジケーターでは、発光素子が発した光を、レンズなどの窓部を介して外部に出射させて表示が成される。近年、低消費電力などの理由から、発光素子としてＬＥＤ（Light Emitting Diode）が用いられている。
【０００３】
例えば、特許文献１には、投写型表示装置（プロジェクター）のインジケーターとして、複数のＬＥＤを用いた表示装置が開示されている。
【先行技術文献】
【特許文献】
【０００４】
【特許文献１】特開２０１１−１６５６０８号公報
【発明の概要】
【発明が解決しようとする課題】
【０００５】
しかしながら、特許文献１に記載の表示装置では、ＬＥＤが発した光の回り込みが発生しやすいという課題があった。詳しくは、プロジェクターの外観のデザインを考慮して、複数の窓部（表示窓）の配置間隔を狭めると、ＬＥＤから発せられた光が、該ＬＥＤに対応する窓部以外の、隣り合う窓部などに回り込むおそれがあった。光の回り込みが発生すると、本来消灯しているべき窓部から光が出射されて、インジケーターの表示が誤認されやすくなる。すなわち、光の回り込みの発生を抑えて、優れた視認性を有するインジケーター（表示装置）を備えたプロジェクターが求められていた。
【課題を解決するための手段】
【０００６】
本発明は、上述の課題の少なくとも一部を解決するためになされたものであり、以下の形態または適用例として実現することが可能である。
【０００７】
［適用例］本適用例に係るプロジェクターは、インジケーターを有するプロジェクターであって、インジケーターは、複数の発光素子と、複数の発光素子に対向する複数の窓部と、複数の発光素子における互いに隣り合う発光素子の間に配置された複数の壁部と、を備え、複数の壁部は、発光素子から出射された光を窓部に導光する複数の導光壁と、複数の導光壁の間に配置された遮光壁と、を有する。
【０００８】
本適用例によれば、発光素子が発した光の回り込みの発生を抑えることができる。詳しくは、隣り合う発光素子の間に配置された複数の導光壁によって、発光素子が発した光の回り込みの発生が抑えられる。さらに、複数の導光壁の間に配置された遮光壁によって、光の回り込みの発生がいっそう抑えられる。以上によって、従来よりも光の回り込みの発生を抑えて、優れた視認性を有するインジケーターを備えたプロジェクターを提供することができる。
【０００９】
上記適用例に記載のプロジェクターは、複数の窓部がそれぞれ配置される複数の開口部を有するケース部と、複数の窓部を有する第１部材と、複数の壁部を有する第２部材と、を有することが好ましい。
【００１０】
これによれば、発光素子が発した光を透過、出射する窓部を第１部材とし、上記光を導光、遮光する壁部を第２部材として、インジケーターを容易に構成することができる。すなわち、第１部材と第２部材とをケース部と別構成にすることによって、それぞれに異なる形成材料を用いて、所望の特性をそれぞれの部材に付与することができる。
【００１１】
上記適用例に記載のプロジェクターにおいて、第２部材は、複数の発光素子から出射された光がそれぞれ通過する複数の光通過孔を有し、ケース部とで第１部材を挟持することが好ましい。
【００１２】
これによれば、発光素子が発した光を、光通過孔から窓部に照射させることができる。また、第２部材とケース部とで第１部材を挟持することから、ケース部、第１部材、第２部材の配置において位置ずれの発生が低減される。そのため、発光素子から複数の窓部のそれぞれを介して出射される光の減衰を抑えることができる。
【００１３】
上記適用例に記載のプロジェクターにおいて、導光壁は、発光素子から出射された光を反射する部材であることが好ましい。
【００１４】
これによれば、発光素子から出射された光が導光壁によって反射される。そのため、導光壁が上記光を吸収する部材である場合と比べて、上記光を効率よく窓部に導光することができる。
【００１５】
上記適用例に記載のプロジェクターは、発光素子の両側に配置された導光壁を接続する接続部を有し、接続部は、発光素子から出射された光を窓部に導光することが好ましい。
【００１６】
これによれば、発光素子から出射された光を、さらに効率よく窓部に導光することができる。
【図面の簡単な説明】
【００１７】
【図１】実施形態１に係るプロジェクターの外観を示す斜視図。
【図２】窓部の外観を示す拡大斜視図。
【図３】ＸＺ平面に沿った断面を含む構造を示す拡大斜視図。
【図４】基板周辺の構成を示す拡大斜視図。
【図５】上ケース内側の構成を示す拡大斜視図。
【図６】第１部材および第２部材などの分解斜視図。
【図７】第２部材の斜視図。
【図８】第２部材の拡大斜視図。
【図９】壁部の構成を示す、ＸＹ平面における拡大断面図。
【図１０】壁部の構成を示す、ＸＹ平面における拡大断面図。
【発明を実施するための形態】
【００１８】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。なお、以下の各図においては、各部材を認識可能な程度の大きさにするため、各部材の尺度を実際とは異ならせしめている。
【００１９】
（実施形態１）
＜プロジェクター＞
まず、本実施形態に係るプロジェクターの構成について、図１および図２を参照して説明する。図１は、実施形態１に係るプロジェクターの外観を示す斜視図である。図２は、窓部の外観を示す拡大斜視図である。
【００２０】
本実施形態のプロジェクター１は、映像情報に応じて形成した映像光をスクリーンなどの投写面に投写する機能を有している。
【００２１】
図１に示したプロジェクター１は、下ケース５を含む本体９を有している。本体９は、図示を省略するが、制御部、電源ユニット、光学ユニット、インターフェイス部、操作パネル、冷却ユニット、後述する装置構造体などを有している。これらのうち、制御部、光学ユニット、装置構造体などは、ケース部２（上ケース４）および下ケース５で構成されるプロジェクター１の外装筐体の内部に収容されている。
【００２２】
プロジェクター１は、本体９の他に、上ケース４を含み、本体９の一部を覆うケース部２、インジケーター４０などを有している。ここで説明の便宜上、以降は、プロジェクター１の投写面側を前方（＋Ｘ方向）、プロジェクター１が机上などに載置されて投写する姿勢において、プロジェクター１の上側を上方（＋Ｚ方向）、前方（＋Ｘ方向）から見たプロジェクター１の右側を右方（＋Ｙ方向）として記載する。
【００２３】
上ケース４と下ケース５とは、プロジェクター１の略直方体の外装筐体を構成する。上ケース４は、上面２ａ、前面２ｃを有し、下ケース５は、底面２ｂ、背面２ｄ、側面２ｅ，２ｆを有している。上ケース４および下ケース５は、例えば、ポリカーボネート樹脂とＡＢＳ樹脂（アクリロニトリル−ブタジエン−スチレン共重合体）とのポリマーアロイなどの合成樹脂で形成されている。
【００２４】
制御部は、インターフェイス部から入力される信号や、操作パネルから入力される信号に応じて、プロジェクター１の動作を制御する。また、制御部は、後述するインジケーターに対して、プロジェクター１の動作状態などに関する電気信号を出力する。電源ユニットは、外部から供給される電力を、プロジェクター１の各部に供給する。光学ユニットは、外部から入力された映像信号（映像情報）に応じて、映像光を形成する。冷却ユニットは、光学ユニットなどを冷却する。
【００２５】
光学ユニットは、光源装置、光変調装置、投写レンズ３を含んでいる。光変調装置は、制御部の制御に基づいて、光源装置から出射された光束を映像情報に応じて変調し、映像光を形成する。光変調装置としては、透過型の液晶パネル、反射型の液晶パネル、ＤＭＤ（Digital Micromirror Device）などのマイクロミラー型の光変調装置などが挙げられる。光源装置から光変調装置を経て、投写レンズ３へ光路が形成されている。
【００２６】
投写レンズ３は、前面２ｃにおけるＹ方向およびＺ方向のほぼ中央に位置するように設置されている。投写レンズ３は、複数のレンズを有する組みレンズである。上述したように、光変調装置で形成された映像光が、投写レンズ３を介して投写対象に拡大投写される。
【００２７】
下ケース５には、吸気用開口部２１、および図示を省略するが、排気用開口部、インターフェイス部が設置されている。
【００２８】
吸気用開口部２１は側面２ｅに、排気用開口部は側面２ｆに、それぞれ設置されている。吸気用開口部２１および排気用開口部は、冷却ユニットに接続されている。吸気用開口部２１からは、本体９の光学ユニットなどを冷却するための外気が取り入れられる。排気用開口部からは、本体９の冷却に使用されて温まった空気が排出される。
【００２９】
インターフェイス部は、背面２ｄに設置されている。インターフェイス部は、外部に露出して設けられた複数の接続端子を有している。この接続端子により、インターフェイス部を介して、パーソナルコンピューターなどの外部の電子機器から、映像信号、音声信号などが本体９へ入力される。
【００３０】
ケース部２（上ケース４）は、図示を省略するが操作パネルおよび調整部を有している。操作パネルおよび調整部は、上面２ａに設置されている。操作パネルの操作によって、プロジェクター１の動作を選択、指示することが可能である。調整部を用いて、投写レンズ３のズーム調整、フォーカス調整などを行うことが可能である。
【００３１】
ケース部２において、前面２ｃ右方側の上方から上面２ａにかけての境界に、インジケーター４０の窓部１１，１２，１３，１４，１５，１６（以降、「窓部１１〜１６」ということもある。）が配置されている。窓部１１〜１６に対応して、ケース部２の内側には後述する発光素子が配置されている。窓部１１〜１６は、発光素子から出射された光（発光素子が発した光）を透過する。
【００３２】
図２に示すように、複数の窓部１１〜１６は、ケース部２に設けられた複数の開口部２０にそれぞれ配置されている。窓部１１〜１６（開口部２０）は、Ｙ方向に沿って６個が配列されている。窓部１１〜１６は、Ｙ方向に沿い、右方に向かって窓部１１から窓部１６へ順番に並んでいる。
【００３３】
窓部１１〜１６は、それぞれＹ方向における長さが、Ｘ方向における長さよりも短い。窓部１１〜１６のＹ方向のそれぞれの長さ、およびＹ方向における隣り合う窓部１１〜１６の間隔（距離）は、特に限定されないが、本実施形態では、それぞれ約３ｍｍ、約７．５ｍｍとしている。本実施形態では開口部２０の数を６個としていることから、＋Ｘ方向側から見ると、６個の矩形状の窓部１１〜１６が、Ｙ方向に沿って並んでいる。本実施形態においては、Ｙ方向における隣り合う窓部１１〜１６の距離を従来よりも狭くしたデザインとしている。
【００３４】
＜インジケーター＞
次に、本実施形態に係るインジケーターに関連する部材などの構成について、図３および図４を参照して説明する。図３は、ＸＺ平面に沿った断面を含む構造を示す拡大斜視図である。なお、該断面は、インジケーター４０における窓部１４の断面を含む。図４は、基板周辺の構成を示す拡大斜視図である。
【００３５】
インジケーター４０は、プロジェクター１の動作状態などの情報を示す表示装置である。図３に示すように、インジケーター４０は、基板４２、複数の発光素子４１、複数の発光素子４１に対向して配置された複数の窓部１１〜１６を含む第１部材１０と、発光素子４１と第１部材１０との間に配置された第２部材３０と、を有している。ここで、窓部１１〜１６は略同様な構成であるため、以降は窓部１４を代表例として説明する。
【００３６】
発光素子４１は、インジケーター４０の光源であって、基板４２に実装されると共に、窓部１４と対向して配置されている。発光素子４１は、窓部１１〜１６に対応して、６個の発光素子４１が基板４２に実装されている。発光素子４１として、ＬＥＤ（Light Emitting Diode）を用いている。
【００３７】
基板４２は、ＦＦＣ（Flexible Flat Cable）ケーブル（図示せず）などを介して、上述した制御部と電気的に接続されている。これにより、制御部からの電気信号に応じて、発光素子４１の発光が制御される。基板４２は、細長い略矩形であって、長辺がＹ方向に沿って設置される。
【００３８】
窓部１４は、発光素子４１から出射された光を透過する。窓部１４は、上ケース４の開口部２０と嵌合して、上ケース４の外面に露出する。窓部１４は、前面２ｃおよび上面２ａに沿って、屈曲した断面形状を有している。そのため、＋Ｘ方向側および＋Ｚ方向側からのインジケーター４０の視認性が向上する。
【００３９】
第２部材３０は、複数の光通過孔３１を有している。複数の光通過孔３１では、複数の発光素子４１から出射された光がそれぞれ通過する。すなわち、光通過孔３１を通して、発光素子４１から発せられた光が窓部１４に投写され、窓部１４を透過して外部に出射される。光通過孔３１は、発光素子４１および窓部１１〜１６に対応して６個が設けられている。また、第２部材３０は、上ケース４（ケース部２）とで第１部材１０を挟持している。なお、第１部材１０および第２部材３０の詳細は後述する。
【００４０】
発光素子４１の点灯、点滅、消灯、点灯色などによって、プロジェクター１における、電源の入り切り、動作状態などの情報が表示される。このように、上述した制御部から入力された電気信号に応じて、複数の発光素子４１に対応する窓部１１〜１６の発光（表示）が切り替えられて、プロジェクター１に関する各種情報が使用者などに通知される。
【００４１】
プロジェクター１は、上述したインジケーター４０などの他に、インジケーター４０を保持する保持部５０、本体９に含まれる装置構造体６０などを有している。
【００４２】
保持部５０は、発光素子４１と窓部１１〜１６とを対向して配置させるため、ＸＹ平面に対して角度を付けて基板４２を保持している。
【００４３】
保持部５０は、レール部６１を介して装置構造体６０に支持されている。保持部５０の下方（−Ｚ方向）側には、２個の突出部５２が設けられている。２個の突出部５２は、互いがＸ方向に向き合うように屈曲して対を成している。
【００４４】
装置構造体６０は、本体９に含まれる構造体（フレーム）の１つである。レール部６１は、装置構造体６０から保持部５０の下方へ突出して設けられている。レール部６１のＸ方向の両端は、保持部５０の一対の突出部５２によって両側から挟まれている。これにより、保持部５０は、レール部６１に載置されると共に、一対の突出部５２がレール部６１を挟むことにより、レール部６１（装置構造体６０）に支持される。
【００４５】
図４は、ケース部２が取り外されたプロジェクター１の基板４２の周辺を、斜め上方から見下ろした図である。図４に示すように、Ｙ方向に細長い略矩形の基板４２が、保持部５０に載置されて保持されている。基板４２には、複数の発光素子４１がＹ方向に沿って配列された状態で実装されている。基板４２には、図示しないが、配線回路が設けられると共に、発光素子４１の他に、接続端子などが設けられている。
【００４６】
保持部５０は、基板４２に対応して、Ｙ方向に細長い部材である。保持部５０のＹ方向の両端には、リブ５４が設けられている。リブ５４のそれぞれは、ＸＺ平面に沿うように突出している。この一対のリブ５４は、プロジェクター１が組み立てられる際に、第２部材３０（図３参照）と接する部位である。
【００４７】
次に、ケース部２（上ケース４）、第１部材１０、第２部材３０の構成について、図５および図６を参照して説明する。図５は、上ケース内側の構成を示す拡大斜視図である。図６は、第１部材および第２部材などの分解斜視図である。
【００４８】
図５は、上ケース４（ケース部２）の内側に窓部１１〜１６を含む第１部材１０と第２部材３０とを取り付け、その取り付けた部位を−Ｚ方向側（内側）から見た状態を示している。図５に示すように、第１部材１０（窓部１１〜１６）は、第２部材３０と上ケース４とによって挟持されるように配置されている。
【００４９】
第２部材３０は、複数の光通過孔３１の他に、係止部３３，３４を有している。第２部材３０において、係止部３３はＹ方向の一端（＋Ｙ方向側）に、係止部３４はＹ方向の他端（−Ｙ方向側）に、それぞれ設けられている。本体９と上ケース４とが組み立てられると、係止部３３，３４の間に、上述した保持部５０のリブ５４（図４参照）が嵌合して、双方の位置決めが成される。
【００５０】
図６は、図５と同様な視点において、上ケース４（ケース部２）、第１部材１０、第２部材３０を分解した状態を示している。図６に示すように、上ケース４の複数の開口部２０に対応して、第１部材１０には窓部１１〜１６が、第２部材３０には複数の光通過孔３１が、それぞれ設けられている。
【００５１】
第１部材１０は、一体に形成され、窓部１１〜１６がくし歯状に設けられている。第１部材１０の形成材料としては、透光性を有していれば特に限定されないが、例えばポリカーボネートなどの合成樹脂が挙げられる。また、第１部材１０の形成材料には、炭酸カルシウムやシリコーン樹脂などの微粒子を光拡散剤として添加してもよい。
【００５２】
第２部材３０は、Ｙ方向に細長い部材であって、複数の光通過孔３１がＹ方向に沿って設けられている。第２部材３０は、２個のネジＳＣなどによって上ケース４に固定される。第２部材３０には、発光素子４１（図４参照）から出射された光を反射する、換言すれば光反射性を有する形成材料を用いる。第２部材３０の形成材料としては、例えば、白色の着色剤が添加されたＡＢＳ樹脂（アクリロニトリル−ブタジエン−スチレン共重合体）などの合成樹脂、ステンレス鋼などの金属が挙げられる。
【００５３】
次に、第２部材３０の詳細な構成について、図７および図８を参照して説明する。図７は、第２部材の斜視図である。図８は、第２部材の拡大斜視図である。
【００５４】
図７は、−Ｘ方向の下方から第２部材３０を見た状態を示している。図７に示すように、第２部材３０は、上述した光通過孔３１に加えて、接続部３７、複数の壁部としての、導光壁３５ａおよび遮光壁３５ｂを有している。導光壁３５ａは、光通過孔３１を介して、光通過孔３１のＹ方向の両側に設けられて対を成している。一対の導光壁３５ａは、接続部３７によって接続されている。複数の光通過孔３１のそれぞれに対して、一対の導光壁３５ａと、それらを接続する接続部３７とが設けられている。
【００５５】
遮光壁３５ｂは、Ｙ方向に隣り合う光通過孔３１の間に設けられている。遮光壁３５ｂは、複数の光通過孔３１に対応して、Ｙ方向に沿って複数が配列されている。すなわち、６個の光通過孔３１に対して、５個の遮光壁３５ｂが設けられている。
【００５６】
図８は、＋Ｘ方向の上方から第２部材３０を見て、光通過孔３１が配列された領域を拡大して示している。図８に示すように、光通過孔３１の内側は、導光壁３５ａと接続部３７とを含んでいる。導光壁３５ａおよび接続部３７は、第２部材３０に含まれるため、光反射性を有し、発光素子４１（図３参照）から出射された光を反射する。
【００５７】
＜壁部の構成＞
次に、発光素子４１に対する導光壁３５ａおよび遮光壁３５ｂの配置について、図９および図１０を参照して説明する。図９および図１０は、壁部の構成を示す、ＸＹ平面における拡大断面図である。ここで、図９および図１０では、発光素子４１を通るＸＹ平面でプロジェクター１を切断し、その下方側の断面のインジケーター４０周辺を拡大して示している。
【００５８】
図９および図１０に示すように、インジケーター４０は、複数の発光素子４１における互いに隣り合う発光素子４１の間に、壁部としての複数の導光壁３５ａと、複数の導光壁３５ａの間に配置された遮光壁３５ｂとを備えている。ここで、窓部１１〜１６および対応する壁部（導光壁３５ａ、遮光壁３５ｂ）などは略同様な構成であるため、以降は窓部１４を代表例として説明する。なお、図１０において、発光素子４１、導光壁３５ａ、遮光壁３５ｂ、接続部３７は、窓部１４に対応するもののみを図示し、それ以外は符号の図示を省略している。
【００５９】
窓部１４と対向する発光素子４１には、Ｙ方向の両側に導光壁３５ａが配置されている。この一対の導光壁３５ａは、−Ｚ方向側（下方）において、接続部３７によって接続されている。そのため、発光素子４１から出射された光のうち、一部は窓部１４に直接照射され、その以外の一部は、導光壁３５ａや接続部３７の内面に照射される。導光壁３５ａおよび接続部３７は光反射性を有しているため、これらに照射された光は、１回または複数回の反射によって窓部１４に照射される。すなわち、導光壁３５ａおよび接続部３７は、発光素子４１から出射された光を窓部１４に導光する。
【００６０】
導光壁３５ａ、接続部３７で反射された発光素子４１の光の一部は、発光素子４１から窓部１４に直接照射された光と照射方向が異なる。そのため、導光壁３５ａ、接続部３７が無い場合と比べて、窓部１４に照射される光の局所的な偏りが低減される。これにより、窓部１４から出射される光にムラ（部分的な強弱）の発生が抑えられる。
【００６１】
導光壁３５ａは、発光素子４１から出射された光を導光すると共に、隣り合う窓部１３や窓部１５への光の回り込みの発生を抑える機能を有している。
【００６２】
導光壁３５ａおよび接続部３７の内面（発光素子４１の光が照射される面）は、平滑、好ましくは鏡面に成形する。これにより光反射性を向上させて、窓部１４に照射される光の減衰をさらに抑えることができる。本実施形態では、上記内面を白色鏡面としている。上記内面は白色に限定されず、例えば、金属めっきを施した鏡面や、銀色の着色剤による銀色鏡面としてもよい。
【００６３】
窓部１４に対応する一対の導光壁３５ａと、窓部１３に対応する一対の導光壁３５ａとの間には、遮光壁３５ｂが配置されている。同様に、窓部１４に対応する一対の導光壁３５ａと、窓部１５に対応する一対の導光壁３５ａとの間にも、遮光壁３５ｂが配置されている。そのため、窓部１４と対向する発光素子４１から出射された光が、導光壁３５ａと基板４２との間隙から、窓部１３または窓部１５側へ回り込むことが抑えられる。
【００６４】
導光壁３５ａ、遮光壁３５ｂ、接続部３７の−Ｘ方向側の端部は、基板４２に沿うような形状とされている。そのため、窓部１４と対向する発光素子４１から出射された光が、窓部１３や窓部１５へ、より回り込みにくくなる。ここで、遮光壁３５ｂの−Ｘ方向側の端部と基板４２との間隔（距離）は、導光壁３５ａの−Ｘ方向側の端部と基板４２との間隔（距離）よりも小さい。これにより、光の回り込みの発生を、いっそう抑えることができる。
【００６５】
上述した窓部１４に係る、発光素子４１、導光壁３５ａ、遮光壁３５ｂ、接続部３７の構成は、窓部１２，１３，１５においても同様であるため、説明を省略する。また、窓部１１および窓部１６では、Ｙ方向に隣り合う窓部（発光素子４１）がない側において、遮光壁３５ｂが設けられていない。すなわち、窓部１１では−Ｙ方向側の、窓部１６では＋Ｙ方向側の、それぞれ遮光壁３５ｂが省略されている他は、窓部１４と同様な構成である。
【００６６】
以上に述べたように、上記実施形態に係るプロジェクター１によれば、以下の効果を得ることができる。
【００６７】
発光素子４１から出射された光の回り込みの発生を抑えることができる。詳しくは、Ｙ方向に隣り合う発光素子４１の間に配置された複数の導光壁３５ａによって、発光素子４１から出射された光の回り込みの発生が抑えられる。さらに、複数の導光壁３５ａの間に配置された遮光壁３５ｂによって、光の回り込みの発生がいっそう抑えられる。以上によって、従来よりも光の回り込みの発生を抑えて、優れた視認性を有するインジケーター４０を備えたプロジェクター１を提供することができる。
【００６８】
発光素子４１から出射された光を透過、出射する窓部１１〜１６を第１部材１０とし、上記光を導光または遮光する導光壁３５ａ、および遮光壁３５ｂを第２部材３０として、インジケーター４０を容易に構成することができる。すなわち、第１部材１０と第２部材３０とをケース部２と別部材とすることによって、それぞれに異なる形成材料を用いて、所望の特性をそれぞれの部材に付与することができる。
【００６９】
第２部材３０は、光通過孔３１を有するため、発光素子４１から出射された光を、光通過孔３１から対応する窓部１１〜１６に照射させることができる。また、第２部材３０とケース部２とで第１部材１０を挟持することから、ケース部２、第１部材１０、第２部材３０の配置において位置ずれの発生が低減される。そのため、発光素子４１から複数の窓部１１〜１６のそれぞれを介して出射される光の減衰を抑えることができる。
【００７０】
導光壁３５ａは、発光素子４１から出射された光を反射する部材であることから、上記光が導光壁３５ａによって反射される。そのため、導光壁３５ａが上記光を吸収する部材である場合と比べて、上記光を効率よく窓部１１〜１６に導光することができる。
【００７１】
接続部３７により、発光素子４１から出射された光を、減衰を抑えてさらに効率よく窓部１１〜１６に導光することができる。
【００７２】
（変形例１）
上記実施形態では、窓部１１〜１６に対応させて、それぞれに１個の発光素子４１を設置したが、これに限定されない。本発明のプロジェクターに用いられるインジケーターの発光素子は、１個の窓部に対応させて、複数個を設置してもよい。
【符号の説明】
【００７３】
１…プロジェクター、２…ケース部、４…上ケース、５…下ケース、９…本体、１０…第１部材、１１，１２，１３，１４，１５，１６…窓部、２０…開口部、３０…第２部材、３１…光通過孔、３５ａ…導光壁、３５ｂ…遮光壁、３７…接続部、４０…インジケーター、４１…発光素子、４２…基板。
【図１】
2019128523.tif 000003
【図２】
2019128523.tif 000004
【図３】
2019128523.tif 000005
【図４】
2019128523.tif 000006
【図５】
2019128523.tif 000007
【図６】
2019128523.tif 000008
【図７】
2019128523.tif 000009
【図８】
2019128523.tif 000010
【図９】
2019128523.tif 000011
【図１０】
2019128523.tif 000012